(57)【要約】【課題】積層されるように収容した複数の電気回路基板のコネクタ（即ち、ボードコネクタ）とワイヤハーネスの相手方コネクタとの接続作業効率を大幅に向上でき、且つ機械的強度の高い電気回路基板収容箱を提供すること。【解決手段】電気回路基板収容箱１００は、ワイヤハーネスの相手方コネクタと電気的に接続可能な入出力端子３９を収容するためのコネクタハウジング１３ｆが一体成形された蓋部材１３と、蓋部材１３と収容箱本体１１とに介在するように蓋部材１３に固定され、ボードコネクタ２３とそれぞれ嵌合且つ電気的に接続するための複数のコネクタ４３を有し、且つ当該コネクタ４３と入出力端子３９とが電気的に導通する接続回路部材３７と、を具備する。接続回路部材３７のコネクタ４３をボードコネクタ２３に一括して嵌合させながら蓋部材１３が収容箱本体１１の開口を覆うように収容箱本体１１に取り付けられる。【選択図】図３
2006269632.tif 000002
【特許請求の範囲】
【請求項１】
電気回路パターンが形成されたベースボードと当該ベースボードの一端縁に沿って該ベースボード上に配置され且つ前記電気回路パターンに電気的に接続するボードコネクタとを有する電気回路基板を複数、積層するように収容可能な電気回路基板収容箱であって、
開口が形成された一側面を有し且つ、前記ボードコネクタそれぞれが前記開口から露出されながら前記ベースボードがそれぞれ間隔をあけて並べられるように複数の前記電気回路基板を収容する収容箱本体と、
ワイヤハーネスの相手方コネクタと電気的に接続可能な入出力端子を収容するためのコネクタハウジングが一体成形された蓋部材と、
前記蓋部材と前記収容箱本体とに介在するように前記蓋部材に固定され、前記ボードコネクタとそれぞれ嵌合且つ電気的に接続するための複数のコネクタを有し、且つ当該コネクタと前記入出力端子とが電気的に導通する接続回路部材と、
を具備し、
前記接続回路部材の前記コネクタを前記ボードコネクタに一括して嵌合させながら前記蓋部材が前記収容箱本体の前記開口を覆うように前記収容箱本体に取り付けられることを特徴とする電気回路基板収容箱。
【請求項２】
電気回路パターンが形成されたベースボードと当該ベースボードの一端縁に沿って該ベースボード上に配置され且つ前記電気回路パターンに電気的に接続するボードコネクタとを有する電気回路基板を複数、積層するように収容可能な電気回路基板収容箱であって、
開口が形成された一側面を有し且つ、前記ボードコネクタそれぞれが前記開口から露出されながら前記ベースボードがそれぞれ間隔をあけて並べられるように複数の前記電気回路基板を収容する収容箱本体と、
ワイヤハーネスの相手方コネクタと電気的に接続可能な入出力端子を収容するためのコネクタハウジングが形成された蓋部材と、
前記蓋部材と前記収容箱本体とに介在するように前記蓋部材に固定され、前記ボードコネクタとそれぞれ嵌合且つ電気的に接続するための複数のコネクタを有し、且つ当該コネクタと前記入出力端子とが電気的に導通する接続回路部材と、
を具備し、
前記接続回路部材が、その前記複数のコネクタの接続端子を収容するコネクタハウジングが一体成形された一体ハウジング蓋を備え、
前記接続回路部材の前記コネクタを前記ボードコネクタに一括して嵌合させながら前記一体ハウジング蓋が前記収容箱本体の前記開口を覆うように前記収容箱本体に取り付けられることを特徴とする電気回路基板収容箱。
【発明の詳細な説明】
【技術分野】
【０００１】
本発明は、複数の電気回路基板を積層するように収容する電気回路基板収容箱に関する。
【背景技術】
【０００２】
自動車等の車両には、多数の車載電装品および該電装品を制御する電子制御ユニット（以下、『電子制御ユニット』或いはその略称として『ＥＣＵ』と記述する。）が各部に分散して搭載されている。各ＥＣＵは、一般に該ＥＣＵが搭載された電気回路基板であるＥＣＵ基板（換言すれば、電子制御基板）が個別に収容箱に収容されて適宜、車両の各部に分散して配置される。
【０００３】
近年、自動車等の車両の高付加価値化に伴ってＥＣＵの数量も増加する傾向にあるため、ＥＣＵの設置スペースが増大すると共に、各電装品とＥＣＵを接続するワイヤハーネスおよびこれらを接続するためのコネクタ数が著しく増加している。このため、コネクタ嵌合およびワイヤハーネスの配索が複雑化し、更にまたその配索空間も増大している。このように、ＥＣＵ設置のために必要となる空間は、ますます高まる自動車等の車両の高付加価値化と共に増大し続けている。
【０００４】
その一方で、快適な車室内空間を提供できるように車室内空間を広げることが強く要求されており、車室内空間の確保とＥＣＵの設置スペース、ワイヤハーネスの配索空間の確保との相反する問題の解決が急務となっている。
【０００５】
複数のＥＣＵ基板を積層して収容箱内に収容し、ＥＣＵの設置スペースを抑制するようにしたＥＣＵ集中収容箱が知られている（例えば、特許文献１参照）。特許文献１に開示されているＥＣＵ集中収容箱によると、複数のＥＣＵ基板を収容箱内に積層状態で収容すると共に、それぞれのＥＣＵ基板の一端に形成された導体端部にバスバーを接続し、バスバーによって各ＥＣＵ基板の共通回路を構成して、複数のＥＣＵ基板の共通回路を一括して接続している。また、各ＥＣＵ基板の他端には、直付けコネクタが固定されており、ワイヤハーネスに設けられた相手方コネクタが直付けコネクタに嵌合され、これにより各部に配置された電装品にＥＣＵ基板が電気的に導通することになる。
【０００６】
特許文献１に開示されているＥＣＵ集中収容箱は、複数のＥＣＵ基板をケース内に積層状態で収容すると共に、各ＥＣＵ基板をバスバーで接続して共通回路を形成している。従って、ＥＣＵを分散配置し、ワイヤハーネスによって各ＥＣＵ間を接続した場合と比較すると、設置スペースを低減する効果がある。しかし、要求される仕様に応じてＥＣＵ基板の回路パターンが変更されると、その都度、仕様に合わせてバスバーを新設する必要がある。
【０００７】
また、特許文献１のＥＣＵ集中収容箱のＥＣＵケースの一側面はＥＣＵ基板を挿入するために大きく開口し、その開口を覆うＥＣＵケース蓋にはワイヤハーネスの相手方コネクタを挿入するための多数の挿入孔が設けられている。このため特許文献１のＥＣＵ集中収容箱の機械的強度は低い。
【０００８】
一般に、ＥＣＵ集中収容箱に収容される各ＥＣＵ基板に配置されたコネクタは、配索系統が同じであってもバラバラに配置されている場合が多く、コネクタ接続作業の都度、接続すべきコネクタ同士を探して接続する煩雑な接続作業が要求される。このような、接続すべきコネクタを探す負担は、ＥＣＵ集中収容箱に収容されるＥＣＵ基板の枚数が増加すればするほどコネクタ数が増加するため、飛躍的に増える。その上、コネクタ接続作業に多くの工数を要し、また誤接続の可能性が高くなる虞がある。更に、コネクタ接続された各ワイヤハーネスは、複雑に入り乱れた状態で配索され、メンテナンス作業がやり難いばかりでなく、製品の品質低下を招く。
【特許文献１】特開２００３−３０４０８３号公報（第５−６頁、図１）
【発明の開示】
【発明が解決しようとする課題】
【０００９】
本発明は、上述した事情に鑑みてなされたものであり、その目的は、積層されるように収容した複数の電気回路基板のコネクタ（即ち、ボードコネクタ）とワイヤハーネスの相手方コネクタとの接続作業効率を大幅に向上でき、且つ機械的強度の高い電気回路基板収容箱を提供することにある。
【課題を解決するための手段】
【００１０】
前述した目的を達成するため、本発明に係る電気回路基板収容箱は、下記（１）および（２）を特徴としている。
（１）  電気回路パターンが形成されたベースボードと当該ベースボードの一端縁に沿って該ベースボード上に配置され且つ前記電気回路パターンに電気的に接続するボードコネクタとを有する電気回路基板を複数、積層するように収容可能な電気回路基板収容箱であって、
開口が形成された一側面を有し且つ、前記ボードコネクタそれぞれが前記開口から露出されながら前記ベースボードがそれぞれ間隔をあけて並べられるように複数の前記電気回路基板を収容する収容箱本体と、
ワイヤハーネスの相手方コネクタと電気的に接続可能な入出力端子を収容するためのコネクタハウジングが一体成形された蓋部材と、
前記蓋部材と前記収容箱本体とに介在するように前記蓋部材に固定され、前記ボードコネクタとそれぞれ嵌合且つ電気的に接続するための複数のコネクタを有し、且つ当該コネクタと前記入出力端子とが電気的に導通する接続回路部材と、
を具備し、
前記接続回路部材の前記コネクタを前記ボードコネクタに一括して嵌合させながら前記蓋部材が前記収容箱本体の前記開口を覆うように前記収容箱本体に取り付けられること。
（２）電気回路パターンが形成されたベースボードと当該ベースボードの一端縁に沿って該ベースボード上に配置され且つ前記電気回路パターンに電気的に接続するボードコネクタとを有する電気回路基板を複数、積層するように収容可能な電気回路基板収容箱であって、
開口が形成された一側面を有し且つ、前記ボードコネクタそれぞれが前記開口から露出されながら前記ベースボードがそれぞれ間隔をあけて並べられるように複数の前記電気回路基板を収容する収容箱本体と、
ワイヤハーネスの相手方コネクタと電気的に接続可能な入出力端子を収容するためのコネクタハウジングが形成された蓋部材と、
前記蓋部材と前記収容箱本体とに介在するように前記蓋部材に固定され、前記ボードコネクタとそれぞれ嵌合且つ電気的に接続するための複数のコネクタを有し、且つ当該コネクタと前記入出力端子とが電気的に導通する接続回路部材と、
を具備し、
前記接続回路部材が、その前記複数のコネクタの接続端子を収容するコネクタハウジングが一体成形された一体ハウジング蓋を備え、
前記接続回路部材の前記コネクタを前記ボードコネクタに一括して嵌合させながら前記一体ハウジング蓋が前記収容箱本体の前記開口を覆うように前記収容箱本体に取り付けられること。
【００１１】
上記（１）の構成の電気回路基板収容箱によれば、収容箱本体に収容された複数の電気回路基板のボードコネクタに接続回路部材の複数のコネクタを一括して嵌合させながら蓋部材が収容箱本体の開口を覆うように収容箱本体に取り付けられるので、接続作業効率が大幅に向上する。換言すれば、接続すべきコネクタ同士をいちいち探して接続する煩雑な接続作業を行なう必要がなく、コネクタ同士の接続作業が容易となる。更に、コネクタの誤接続、即ち、誤配索を確実に防止することができ、信頼性の高い配索を行なうことができる。その上、収容箱本体の開口を覆う蓋部材が、ワイヤハーネスの相手方コネクタと電気的に接続可能な入出力端子を収容するためのコネクタハウジングと一体成形されているので、蓋部材の機械的強度が高く、このような蓋部材が取り付けられた収容箱本体は補強される。
同様に、上記（２）の構成の電気回路基板収容箱によれば、収容箱本体に収容された複数の電気回路基板のボードコネクタに接続回路部材の複数のコネクタを一括して嵌合させながら接続回路部材の一体ハウジング蓋が収容箱本体の開口を覆うように収容箱本体に取り付けられるので、接続作業効率が大幅に向上する。換言すれば、接続すべきコネクタ同士をいちいち探して接続する煩雑な接続作業を行なう必要がなく、コネクタ同士の接続作業が容易となる。更に、コネクタの誤接続、即ち、誤配索を確実に防止することができ、信頼性の高い配索を行なうことができる。その上、接続回路部材の一体ハウジング蓋は、ボードコネクタとそれぞれ嵌合且つ電気的に接続するための複数のコネクタの接続端子を収容するコネクタハウジングが一体成形された部材であるので、一体ハウジング蓋の機械的強度が高く、このような一体ハウジング蓋が取り付けられた収容箱本体は補強される。
【発明の効果】
【００１２】
本発明によれば、積層されるように収容した複数の電気回路基板のボードコネクタとワイヤハーネスの相手方コネクタとの接続作業効率を大幅に向上でき、且つ機械的強度の高い電気回路基板収容箱を提供することができる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
（第１実施形態）
図１は本発明の第１実施形態である電気回路基板収容箱の分解斜視図、図２は図１に示す接続回路部材および蓋部材の分解斜視図、そして図３は図１に示す電気回路基板が収容された電気回路基板収容箱の縦断面図である。
【００１６】
図１〜図３に示されるように、本発明に係る電気回路基板収容箱の第１実施形態は、電気回路パターン２７が形成されたベースボード２９と当該ベースボード２９の一端縁２９ｂに沿って該ベースボード２９上に配置され且つ電気回路パターン２７に電気的に接続するボードコネクタ２３とを有する電気回路基板２１を複数、積層するように収容可能な電気回路基板収容箱であって、
開口が形成された一側面を有し且つ、ボードコネクタ２３それぞれが当該開口から露出されながらベースボード２９がそれぞれ間隔をあけて並べられるように複数の電気回路基板２１を収容する収容箱本体１１と、
ワイヤハーネス５１の相手方コネクタ５７と電気的に接続可能な入出力端子３９を収容するためのコネクタハウジング１３ｆが一体成形された蓋部材１３と、
蓋部材１３と収容箱本体１１とに介在するように蓋部材１３に固定され、ボードコネクタ２３とそれぞれ嵌合且つ電気的に接続するための複数のコネクタ４３を有し、且つ当該コネクタ４３と入出力端子３９とが電気的に導通する接続回路部材３７と、
を具備し、
接続回路部材３７のコネクタ４３をボードコネクタ２３に一括して嵌合させながら蓋部材１３が収容箱本体１１の開口を覆うように収容箱本体１１に取り付けられる。
【００１７】
このように構成された電気回路基板収容箱１００について以下に詳細に説明する。
【００１８】
電気回路基板収容箱１００は、収容箱本体１１と、蓋部材１３と、裏蓋１５とを有する。収容箱本体１１は、上面１１ａ、下面１１ｂ、および該上下面１１ａ、１１ｂに連続して形成された左右側壁１１ｃ，１１ｄと、を備え、略中空４角柱状に形成されている。収容箱本体１１の中空の内部は、複数の仕切り壁１１ｅにより仕切られて、複数の基板収容室１７が形成されている。各基板収容室１７は、前後方向に貫通しており、外部に開口する。各基板収容室１７には、内ケース２５に収容された電気回路基板２１が収容される。
【００１９】
ここで、電気回路基板２１のボードコネクタ２３の挿抜方向を前後方向、これと直交し且つ図３における紙面に垂直方向を左右方向、前後方向および左右方向と直交する方向を上下方向と定義し、以後本明細書においては、これに従って説明する。
【００２０】
収容箱本体１１の上下面１１ａ、１１ｂの前方側には、その左右方向略中央に、前後方向中央に向かうに従って次第に高くなる傾斜面を有する断面略３角形の係止突起１１ｆがそれぞれ設けられている。また、収容箱本体１１の後方側には、上下面１１ａ、１１ｂの左右方向略中央、および左右側壁１１ｃ，１１ｄの上下方向略中央に、係止突起１１ｆと同様の形状を有する断面略３角形の係止突起１１ｇが、それぞれ設けられている。
【００２１】
電気回路基板２１は、電子制御ユニット２８が電気的に接続された電気回路パターン２７が形成された電気回路パターン面２９ａを有するベースボード２９を備える。電気回路基板２１は、ベースボード２９の一端縁２９ｂに沿って電気回路パターン面２９ａ上に配置された少なくとも一つのボードコネクタ２３を有する。電気回路基板２１は、内ケース２５に収容されて、それぞれの基板収容室１７に積層されるようにそれぞれ間隔をあけて並べられる。尚、第１実施形態におけるボードコネクタ２３は、一端がベースボード２９のスルーホールに貫通してハンダ付けされ、他端が直角に曲げられてベースボード２９と並行に形成された雄接続端子３３と、該雄接続端子３３を収容する雌ハウジング３１とからなり、電気回路基板２１と平行にコネクタが挿抜される基板直付け形のアングルコネクタである。
【００２２】
蓋部材１３は、収容箱本体１１の一方の開口を塞ぐものであり、矩形板状の蓋本体１３ａと、該蓋本体１３ａの４辺から立設する上壁１３ｂ、下壁１３ｃ、左右壁１３ｄ，１３ｅを有する有底箱状に形成されている。蓋本体１３ａには、後述する接続回路部材３７の入出力端子３９を挿入する貫通穴１３ｇが設けられたフード状のコネクタハウジング（雌コネクタハウジング）１３ｆが、外方に突出して形成されている。上壁１３ｂおよび下壁１３ｃの左右方向略中央には、収容箱本体１１の係止突起１１ｆと係合する係止穴３５が形成されている。
【００２３】
図２に示されるように、蓋部材１３の内面には、接続回路部材３７が固定される。接続回路部材３７の一方の面には、基板収容室１７に収容された電気回路基板２１のボードコネクタ２３に対応して、雌接続端子４５を収容したコネクタ４３が配設されている。本実施形態のコネクタ４３は、雌接続端子４５が接続回路部材３７に面実装される雄コネクタとなっている。また、接続回路部材３７の他方の面には、入出力端子３９が配設されている。
【００２４】
入出力端子３９は、その後端が接続回路部材３７に設けられたスルーホール４１に挿入、ハンダ付けされ、先端が蓋部材１３の貫通穴１３ｇに挿入されてコネクタハウジング１３ｆ内に突出して配置されている。即ち、コネクタハウジング１３ｆと入出力端子３９とにより、入出力コネクタ４９が形成され、ワイヤハーネス５１に設けられた相手方コネクタ５７と嵌合する。各コネクタ４３の雌接続端子４５は、接続回路部材３７に形成された電気回路パターン５３によって整理され、或いは統合されて入出力端子３９に電気的に接続している。
【００２５】
裏蓋１５は、基板収容室１７（収容箱本体１１）の後部の開口を塞ぐものであり、開口と略同じ大きさを有する矩形板状蓋部１５ａと、該矩形板状蓋部１５ａの４辺から立設された四角枠状の側壁１５ｂを有し、有底箱状に形成されている。矩形板状蓋部１５ａの内面には、基板収容室１７に収容された内ケース２５を押さえるための押圧片１５ｃが左右方向に形成されている。また、上部および下部の側壁１５ｂの左右方向略中央、および左右の側壁１５ｂの上下方向略中央には、収容箱本体１１の係止突起１１ｇと係合する係合穴５５が形成されている。
【００２６】
本発明の第１実施形態の電気回路基板収容箱の組付けについて説明する。第１実施形態の電気回路基板収容箱１００は、収容箱本体１１の後部に裏蓋１５を嵌合し、収容箱本体１１の係止突起１１ｇと裏蓋１５の係合穴５５を係合して組み付ける。次に、収容箱本体１１の前方の開口から、電気回路基板２１が収容された内ケース２５を裏蓋１５の押圧片１５ｃに当接するまで挿入して、基板収容室１７内に収容する。そして、電気回路基板２１の各ボードコネクタ２３に、接続回路部材３７のコネクタ４３を嵌合させつつ、蓋部材１３を収容箱本体１１の前部に嵌合し、収容箱本体１１の係止突起１１ｆと蓋部材１３の係止穴３５を係合して組み付ける。
【００２７】
これにより、基板収容室１７に収容された内ケース２５、即ち電気回路基板２１は、裏蓋１５の押圧片１５ｃと接続回路部材３７のコネクタ４３によって挟持される。また、同時に収容箱本体１１の前方の開口は蓋部材１３のカバー面である蓋本体１３ａによって塞がれ、また収容箱本体１１の後方の開口は裏蓋１５によって塞がれる。これにより、前後に開口を有する収容箱本体１１の機械的強度は大幅に向上する。また、電気回路基板２１のボードコネクタ２３は、コネクタ４３、接続回路部材３７に形成された電気回路パターン５３を介して、入出力コネクタ４９の入出力端子３９に電気的に接続される。
【００２８】
電気回路基板収容箱１００によれば、収容箱本体１１に収容された複数の電気回路基板２１のボードコネクタ２３に接続回路部材３７の複数のコネクタ４３を一括して嵌合させながら蓋部材１３が収容箱本体１１の開口を覆うように収容箱本体１１に取り付けられるので、接続作業効率が大幅に向上する。換言すれば、接続すべきコネクタ同士をいちいち探して接続する煩雑な接続作業を行なう必要がなく、コネクタ同士の接続作業が容易となる。更に、コネクタの誤接続、即ち、誤配索を確実に防止することができ、信頼性の高い配索を行なうことができる。その上、収容箱本体１１の開口を覆う蓋部材１３が、ワイヤハーネス５１の相手方コネクタ５７と電気的に接続可能な入出力端子３９を収容するためのコネクタハウジング１３ｆと一体成形されており、相手方コネクタ５７を挿入するための大きな貫通穴は必要ないので、蓋部材１３の機械的強度が高い。よって、このような蓋部材１３が取り付けられた収容箱本体１１は補強される。
【００２９】
また、電気回路基板収容箱１００によれば、接続回路部材３７に形成された電気回路パターン５３により、ボードコネクタ２３との接続関係が整理され、或いは統合された入出力端子３９が接続回路部材３７に設けられているので、入出力コネクタ４９の数を低減することができ、ワイヤハーネス５１の相手方コネクタ５７を入出力コネクタに接続するだけで、複数の電気回路基板２１の接続を確実且つ容易に行なうことができる。また、電気回路基板２１のパターンが変更されても、接続回路部材３７の電気回路パターン５３を変更することにより、容易に対応することが可能となる。更に、複数のコネクタ４３の雌接続端子４５は、接続回路部材３７の電気回路パターン５３により整理され、或いは統合された状態で入出力端子３９に接続されているので、以後のメンテナンスも容易となる。
【００３０】
（変形例）
ここで、本発明に係る電気回路基板収容箱の第１実施形態の変形例について、図４および図５を参照して説明する。図４は変形例の電気回路基板収容箱の分解斜視図、図５は図４に示す接続回路部材および蓋部材の分解斜視図である。尚、変形例の電気回路基板収容箱は、接続回路部材の形態が第１実施形態の電気回路基板収容箱と異なるだけで、他の部分は同様であるので、同一部分には同一符号又は相当符号を付して説明を簡略化又は省略する。
【００３１】
図４および図５に示されるように、本発明に係る電気回路基板収容箱の第１実施形態の変形例は、電気回路パターン２７が形成されたベースボード２９と当該ベースボード２９の一端縁２９ｂに沿って該ベースボード２９上に配置され且つ電気回路パターン２７に電気的に接続するボードコネクタ２３とを有する電気回路基板２１を複数、積層するように収容可能な電気回路基板収容箱１５０であって、
開口が形成された一側面を有し且つ、ボードコネクタ２３それぞれが当該開口から露出されながらベースボード２９がそれぞれ間隔をあけて並べられるように複数の電気回路基板２１を収容する収容箱本体１１と、
ワイヤハーネス５１の相手方コネクタ５７と電気的に接続可能な入出力端子３９を収容するためのコネクタハウジング１３ｆが一体成形された蓋部材１３と、
蓋部材１３と収容箱本体１１とに介在するように蓋部材１３に固定され、ボードコネクタ２３とそれぞれ嵌合且つ電気的に接続するための複数のコネクタ４３を有し、且つ当該コネクタ４３と入出力端子３９とが電気的に導通する接続回路部材１５１と、
を具備し、
接続回路部材１５１が、その複数のコネクタ４３の接続端子４５を収容するコネクタハウジング１５５ｅが一体成形された一体ハウジング蓋１５５を備え、
接続回路部材１５１のコネクタ４３をボードコネクタ２３に一括して嵌合させながら一体ハウジング蓋１５５が収容箱本体１１の開口を覆うように収容箱本体１１に取り付けられる。
【００３２】
このように構成された電気回路基板収容箱１５０について以下に詳細に説明する。
【００３３】
電気回路基板収容箱１５０は、収容箱本体１１と、蓋部材１３と、裏蓋１５と、接続回路部材１５１を有する。収容箱本体１１の側壁１１ｃ，１１ｄの上下方向略中央には、断面略３角形の係止突起１１ｈが形成されている。接続回路部材１５１は、接続基板１５３と一体ハウジング蓋１５５を備える。接続基板１５３の一方の面は、基板収容室１７に収容された電気回路基板２１のボードコネクタ２３に対応して、複数の雌接続端子４５が配設されている。また、接続基板１５３の他方の面は、入出力端子３９が配設されている。
【００３４】
一体ハウジング蓋１５５は、矩形板部１５５ａの四辺に上下壁１５５ｂ、および左右側壁１５５ｃが連続して立設した有底箱状に形成されている。上下壁１５５ｂの左右方向略中央には、蓋部材１３の係止穴３５と係合するための断面略３角形の係止突起１５５ｄが形成されている。また、左右側壁１５５ｃの上下方向略中央には、収容箱本体１１の係止突起１１ｈと係合するための係止穴１５７が設けられている。矩形板部１５５ａには、基板収容室１７に収容された電気回路基板２１のボードコネクタ２３に対応して、複数のコネクタハウジング１５５ｅが突出して形成されており、該コネクタハウジング１５５ｅに接続基板１５３の雌接続端子４５を収容して接続基板１５３と一体ハウジング蓋１５５が組み付けられる。このように接続回路部材１５１には、コネクタハウジング１５５ｅと雌接続端子４５によって構成されたコネクタ４３が配設される。
【００３５】
このように構成された電気回路基板収容箱１５０によれば、収容箱本体１１に収容された複数の電気回路基板２１のボードコネクタ２３に接続回路部材１５１の複数のコネクタ４３を一括して嵌合させながら接続回路部材１５１の一体ハウジング蓋１５５が収容箱本体１１の開口を覆うように収容箱本体１１に取り付けられるので、電気回路基板収容箱１００と同様に、接続作業効率が大幅に向上する。換言すれば、接続すべきコネクタ同士をいちいち探して接続する煩雑な接続作業を行なう必要がなく、コネクタ同士の接続作業が容易となる。更に、コネクタの誤接続、即ち、誤配索を確実に防止することができ、信頼性の高い配索を行なうことができる。その上、接続回路部材１５１の一体ハウジング蓋１５５は、ボードコネクタ２３とそれぞれ嵌合且つ電気的に接続するための複数のコネクタ４３の接続端子４５を収容するコネクタハウジング１５５ｅが一体成形された部材であり、相手方コネクタ５７を挿入するための大きな貫通穴は必要ないので、一体ハウジング蓋１５５の機械的強度が高い。従って、このような一体ハウジング蓋が取り付けられた収容箱本体は補強される。
【００３６】
また、接続回路部材１５１において、ボードコネクタ２３と接続するコネクタ４３のコネクタハウジング１５５ｅが、一体ハウジング蓋１５５に一体に形成されるので、コネクタ４３の相対位置精度が高く、積層された多数の電気回路基板２１のボードコネクタ２３と確実且つ容易に接続することができる。また仕様の異なる複数個の接続基板１５３および一体ハウジング蓋１５５を準備しておき、要求される仕様に合わせて最適な接続基板１５３および一体ハウジング蓋１５５を適宜選択して組み立てることにより、多くの仕様の接続回路部材１５１を最小の接続基板１５３および一体ハウジング蓋１５５で構成することができる。
その他の作用や効果については、電気回路基板収容箱１００の上記説明から容易に類推可能であるため説明を省略する。
【００３７】
（第２実施形態）
次に、電気回路基板収容箱の第２実施形態について図６を参照して説明する。図６は本発明の第２実施形態である電気回路基板収容箱の縦断面図である。
図６に示されるように、第２実施形態の電気回路基板収容箱２００は、裏蓋がなく、また収容箱本体１２１の形状が一部異なる以外は、第１実施形態の電気回路基板収容箱１００と同様であるので、同一部分には同一符号又は相当符号を付して説明を簡略化又は省略する。
【００３８】
収容箱本体１２１に形成された各基板収容室１７の左右側壁１１ｃ，１１ｄの後部は、後端から前方に向かって平行に設けられた２本のスリット１２３により、上下が側壁１１ｃ，１１ｄから分離され、前端だけが側壁１１ｃ，１１ｄに連続する弾性片１２５を備える。弾性片１２５は、左右方向（図６において紙面に垂直方向）に弾性変形可能であり、その内面には後端から前方に向かうに従って次第に内側に突出する傾斜面１２５ａと該傾斜面１２５ａから側壁１１ｃ，１１ｄに直角に形成された係止面１２５ｂを有する。
【００３９】
電気回路基板２１が収容された内ケース２５を、基板収容室１７に前方から挿入すると、内ケース２５の後端が係止面１２５ｂに当接して基板収容室１７内での前後方向位置が位置決めされる。或いは、電気回路基板２１が収容された内ケース２５を、弾性片１２５を弾性変形させながら、後方の開口から基板収容室１７に挿入するようにしてもよい。この場合、内ケース２５の後端が係止面１２５ｂに達すると、弾性片１２５は弾性力により復帰して係止面１２５ｂが内ケース２５の後端を係止し、以後、内ケース２５の後方への移動を阻止する。
【００４０】
電気回路基板収容箱２００の他の作用や効果については、第１実施形態の電気回路基板収容箱１００の上記説明から容易に類推可能であるため説明を省略する。尚、以下に述べる各実施形態においても同様であるので、特にことわりのない限り説明を省略する。
また、図４および図５において既に説明した変形例への展開、即ち、接続基板と一体ハウジング蓋とにより接続回路部材を構成することは、第２実施形態および以下に述べる各実施形態においても同様に可能であり、上記説明から容易に類推可能であるため説明を省略する。
【００４１】
（第３実施形態）
次に、本発明の電気回路基板収容箱の第３実施形態を説明する。図７は本発明の第３実施形態である電気回路基板収容箱の縦断面図である。
図７に示されるように、第３実施形態の電気回路基板収容箱３００は、内ケースが使用されておらず、電気回路基板２１が直接、収容箱本体１３１に収容される。収容箱本体１３１の左右側壁１１ｃ，１１ｄの内面には、複数対の突提部１３１ａが水平に形成されている。対を成す突堤部１３１ａの間隔は、電気回路基板２１の厚さより僅かに広い幅を有し、溝１３３が形成される。そして、電気回路基板２１は、該溝１３３に挿入されて収容箱本体１３１に収容される。
【００４２】
また、裏蓋１３５の内面には、電気回路基板２１の厚さより僅かに広い幅を有する溝１３７が水平に設けられた押さえリブ１３５ａが左右方向に形成されている。裏蓋１３５は、溝１３７内に電気回路基板２１の後端部を挿入して電気回路基板２１を支持する。
その他の部分については、本発明の第１実施形態の電気回路基板収容箱１００と同様であるので、同一部分には同一符号又は相当符号を付して説明を簡略化又は省略する。
【００４３】
（第４実施形態）
次に、本発明の電気回路基板収容箱の第４実施形態を説明する。図８は本発明の第４実施形態である電気回路基板収容箱の縦断面図である。
第４実施形態の電気回路基板収容箱４００は、接続回路部材３７の他方の面に配設された入出力端子１４１が面実装されている以外は、図３に示された第１実施形態の電気回路基板収容箱１００と同様である。入出力端子１４１は、接続回路部材３７の電気回路パターン５３に面実装によりハンダ付けされており、蓋部材１３の貫通穴１３ｇに挿入されてコネクタハウジング１３ｆ内に突出して配置される。これにより、入出力コネクタ４９が形成される。
【００４４】
（第５実施形態）
次に、本発明の電気回路基板収容箱の第５実施形態を説明する。図９は本発明の第５実施形態である電気回路基板収容箱の縦断面図である。
第５実施形態の電気回路基板収容箱５００は、接続回路部材３７の他方の面に配設された入出力端子１４１が面実装されている以外は、図６に示された第２実施形態の電気回路基板収容箱２００と同様である。
【００４５】
（第６実施形態）
次に、本発明の電気回路基板収容箱の第６実施形態を説明する。図１０は本発明の第６実施形態である電気回路基板収容箱の縦断面図である。
第６実施形態の電気回路基板収容箱６００は、接続回路部材３７の他方の面に配設された入出力端子１４１が面実装されている以外は、図７に示された第３実施形態の電気回路基板収容箱３００と同様である。
【００４６】
（第７実施形態）
次に、本発明の電気回路基板収容箱の第７実施形態を説明する。図１１は本発明の第７実施形態である電気回路基板収容箱の縦断面図である。
第７実施形態の電気回路基板収容箱７００は、電気回路基板２１の一端縁２９ｂに沿って電気回路パターン面２９ａ上に配置されたボードコネクタ１７１の雄接続端子１７３が電気回路基板２１の電気回路パターン２７に面実装されてハンダ付けされる面実装タイプのコネクタである以外は、図８に示された第４実施形態の電気回路基板収容箱４００と同様である。
【００４７】
（第８実施形態）
次に、本発明の電気回路基板収容箱の第８実施形態を説明する。図１２は本発明の第８実施形態である電気回路基板収容箱の縦断面図である。
第８実施形態の電気回路基板収容箱８００は、電気回路基板２１の一端縁２９ｂに沿って電気回路パターン面２９ａ上に配置されたボードコネクタ１７１の雄接続端子１７３が電気回路基板２１の電気回路パターン２７に面実装されてハンダ付けされる面実装タイプのコネクタである以外は、図９に示された第５実施形態の電気回路基板収容箱５００と同様である。
【００４８】
（第９実施形態）
次に、本発明の電気回路基板収容箱の第９実施形態を説明する。図１３は本発明の第９実施形態である電気回路基板収容箱の縦断面図である。
第９実施形態の電気回路基板収容箱９００は、電気回路基板２１の一端縁２９ｂに沿って配置されたボードコネクタ１９１がオスコネクタであり、該ボードコネクタ１９１の雌接続端子１９３が電気回路パターン２７に面実装されている。また、接続回路部材３７の一方の面に配設されたコネクタ１９５が雌コネクタであり、該コネクタ１９５の雄接続端子１９７は接続回路部材３７に面実装されている。その他の部分は、図１１に示された第７実施形態の電気回路基板収容箱７００と同様である。
【００４９】
（第１０実施形態）
次に、本発明の電気回路基板収容箱の第１０実施形態を説明する。図１４は本発明の第１０実施形態である電気回路基板収容箱の縦断面図である。
第１０実施形態の電気回路基板収容箱１０００は、電気回路基板２１にオスコネクタであるボードコネクタ１９１の雌接続端子１９３が面実装され、また接続回路部材３７の一方の面に雌コネクタであるコネクタ１９５の雄接続端子１９７が面実装されている以外は、図１２に示される第８実施形態の電気回路基板収容箱８００と同様である。
【００５０】
（第１１実施形態）
次に、本発明の電気回路基板収容箱の第１１実施形態を説明する。図１５は本発明の第１１実施形態である電気回路基板収容箱の縦断面図である。
第１１実施形態の電気回路基板収容箱１１００は、電気回路基板２１にボードコネクタが配設されておらず、電気回路基板２１の一端縁２９ｂに沿って電気回路パターン面２９ａに接続する電気接触部（図示せず）が形成されている。電気接触部は、電気回路基板２１の片面に形成されていても、両面に形成されていてもよい。電気回路基板２１は、電気接触部、即ち一端縁２９ｂを露出させて内ケース２５内に収容されている。また、接続回路部材３７の一方の面に配設されたコネクタは、エッジコネクタ１１３であり、接続端子１１１が弾性力によって各電気回路基板２１の電気接触部にそれぞれ接触して電気的に接続する。
【００５１】
一部のエッジコネクタ１１３の接続端子１１１は入出力端子１１５としての機能も有し、蓋部材１３に形成された貫通穴１３ｇに挿入されてコネクタハウジング１３ｆに収容されて入出力コネクタ４９が形成される。蓋部材１３の貫通穴１３ｇに挿入されず、電気回路基板２１の電気接触部にのみ接触する接続端子１１１（図１５において中段に配置されたエッジコネクタ１１３の接続端子１１１）は、接続回路部材３７の電気回路パターン５３によって整理され、或いは統合されて入出力コネクタ４９の入出力端子１１５に接続されている。
その他の部分は、図３に示される第１実施形態の電気回路基板収容箱１００と同様であるので同一部分には同一符号又は相当符号を付して説明を簡略化又は省略する。
【００５２】
（第１２実施形態）
次に、本発明の電気回路基板収容箱の第１２実施形態を説明する。図１６は本発明の第１２実施形態である電気回路基板収容箱の縦断面図である。
第１２実施形態の電気回路基板収容箱１２００は、第１１実施形態の電気回路基板収容箱１１００と同様に電気回路基板２１に形成された電気接触部およびエッジコネクタ１１３を有しており、その他の部分は、図６に示される第２実施形態の電気回路基板収容箱２００と同様であるので詳細な説明は省略する。
【００５３】
（第１３実施形態）
次に、本発明の電気回路基板収容箱の第１３実施形態を説明する。図１７は本発明の第１３実施形態である電気回路基板収容箱の縦断面図である。
第１３実施形態の電気回路基板収容箱１３００は、第１１実施形態の電気回路基板収容箱１１００と同様に電気回路基板２１に形成された電気接触部およびエッジコネクタ１１３を有しており、その他の部分は、図７に示される第３実施形態の電気回路基板収容箱３００と同様であるので詳細な説明は省略する。
【００５４】
尚、本発明は、前述した実施形態および変形例に限定されるものではなく、適宜、変形、改良、等が可能である。その他、前述した実施形態および変形例における各構成要素の材質、形状、寸法、数値、形態、数、配置箇所、等は本発明を達成できるものであれば任意であり、限定されない。
【図面の簡単な説明】
【００５５】
【図１】本発明の第１実施形態である電気回路基板収容箱の分解斜視図である。
【図２】図１に示す接続回路部材および蓋部材の分解斜視図である。
【図３】図１に示す電気回路基板が収容された電気回路基板収容箱の縦断面図である。
【図４】変形例の電気回路基板収容箱の分解斜視図である。
【図５】図４に示す接続回路部材および蓋部材の分解斜視図である
【図６】本発明の第２実施形態の電気回路基板収容箱の縦断面図である。
【図７】本発明の第３実施形態の電気回路基板収容箱の縦断面図である。
【図８】本発明の第４実施形態の電気回路基板収容箱の縦断面図である。
【図９】本発明の第５実施形態の電気回路基板収容箱の縦断面図である。
【図１０】本発明の第６実施形態の電気回路基板収容箱の縦断面図である。
【図１１】本発明の第７実施形態の電気回路基板収容箱の縦断面図である。
【図１２】本発明の第８実施形態の電気回路基板収容箱の縦断面図である。
【図１３】本発明の第９実施形態の電気回路基板収容箱の縦断面図である。
【図１４】本発明の第１０実施形態の電気回路基板収容箱の縦断面図である。
【図１５】本発明の第１１実施形態の電気回路基板収容箱の縦断面図である。
【図１６】本発明の第１２実施形態の電気回路基板収容箱の縦断面図である。
【図１７】本発明の第１３実施形態の電気回路基板収容箱の縦断面図である。
【符号の説明】
【００５６】
１００      電気回路基板収容箱
１５０      電気回路基板収容箱
１１        収容箱本体
１３        蓋部材
１３ａ      蓋本体
１３ｆ      コネクタハウジング
２１        電気回路基板
２３        ボードコネクタ
２７        電気回路パターン
２９        ベースボード
２９ａ      電気回路パターン面
２９ｂ      一端縁
３７        接続回路部材
３９        入出力端子
４３        コネクタ
４５        接続端子
５１        ワイヤハーネス
５３        電気回路パターン
５７        相手方コネクタ
１５１      接続回路部材
１５３      接続基板
１５５      一体ハウジング蓋
１５５ｅ    コネクタハウジング
【図１】
2006269632.tif 000003
【図２】
2006269632.tif 000004
【図３】
2006269632.tif 000005
【図４】
2006269632.tif 000006
【図５】
2006269632.tif 000007
【図６】
2006269632.tif 000008
【図７】
2006269632.tif 000009
【図８】
2006269632.tif 000010
【図９】
2006269632.tif 000011
【図１０】
2006269632.tif 000012
【図１１】
2006269632.tif 000013
【図１２】
2006269632.tif 000014
【図１３】
2006269632.tif 000015
【図１４】
2006269632.tif 000016
【図１５】
2006269632.tif 000017
【図１６】
2006269632.tif 000018
【図１７】
2006269632.tif 000019